(57)【要約】【課題】急激な環境温度の変化を受けて係止片や床パネル自体が著しく伸縮すると、水平片に配置された弾性体の位置がずれてしまい、防水性が低下してしまう。【解決手段】板状本体１と、板状本体１の上面に積層された床面層２と、床面層２の少なくとも一方の端縁に設けられた断面略Ｕ字状の接合溝３と、接合溝３の遊端に床面層２より低い位置で水平方向へ延出した水平片４と、床面層２の他方の端縁に設けられた断面略逆Ｌ字状の係止片５を有する床パネル同士を、水平片４と係止片５の間に弾性体６を介在させつつ床パネルの接合溝３に、隣接する床パネルの係止片５を挿入させ、さらに、接合溝３内の隙間に弾性押圧部材７、防水材８及び目地材９の順で下から積層させて接合する床パネルにおいて、水平片４）上面に弾性体６を保持する保持部１０を設ける。【選択図】図１
2004143698.tif 000002
【特許請求の範囲】
【請求項１】
板状本体（１）と、該板状本体（１）の上面に積層された床面層（２）と、該床面層（２）の少なくとも一方の端縁に設けられた断面略Ｕ字状の接合溝（３）と、該接合溝（３）の遊端に該床面層（２）より低い位置で水平方向へ延出した水平片（４）と、該床面層（２）の他方の端縁に設けられた断面略逆Ｌ字状の係止片（５）を有する床パネル同士を、該水平片（４）と該係止片（５）の間に弾性体（６）を介在させつつ該床パネルの該接合溝（３）に、隣接する床パネルの該係止片（５）を挿入させ、さらに、該接合溝（３）内の隙間に弾性押圧部材（７）、防水材（８）及び目地材（９）の順で下から積層させて接合する床パネルにおいて、該水平片（４）の上面に弾性体（６）を保持する保持部（１０）を設けたことを特徴とする床パネル。
【発明の詳細な説明】
【０００１】
【発明の属する技術分野】
本発明は、複数枚連続して敷きつめることにより水はけのよいベランダやバルコニーを形成する床パネルに係り、特に、係止片や床パネル自体が急激な環境温度の変化を受けて著しく伸縮しても、接合部の防水性を長期に維持させた床パネルに関する。
【０００２】
【従来の技術】
従来、防水加工を簡易に施すと共にバルコニーやベランダを形成する部材として床パネルが知られている。この床パネルは、通常、複数枚が接合されて使用されるものが一般的である（特許文献１参照。）。
【０００３】
【特許文献１】
特開平７−３１０４２３号公報
【０００４】
この床パネルは、床パネル同士の接合部に水平片を有する接合溝を設け、この水平片に載置した弾性体とともに、接合溝内に充填した弾性押圧部材と防水材及び目地材により防水性を高めたものである。
【０００５】
【発明が解決しようとする課題】
この床パネルの接続構造にあっては、通常の使用では何ら問題が無いが、極度に寒暖の差が激しいと、床パネル自体や係止片が伸縮し、水平片に載置された弾性体の位置がずれてしまい、防水性が低下してしまうというおそれがあった。
【０００６】
そこで本発明の目的は、係止片や床パネル自体が急激な環境温度の変化を受けて著しく伸縮しても、接合部の防水性を長期に維持させた床パネルを提供することにある。
【０００７】
【課題を解決するための手段】
本発明者は上記に鑑み鋭意検討を行い、板状本体と、板状本体の上面に積層された床面層と、床面層の少なくとも一方の端縁に設けられた断面略Ｕ字状の接合溝と、接合溝の遊端に床面層より低い位置で水平方向へ延出した水平片と、床面層の他方の端縁に設けられた断面略逆Ｌ字状の係止片を有する床パネル同士を、水平片と係止片の間に弾性体を介在させつつ床パネルの接合溝に、隣接する床パネルの係止片を挿入させ、さらに、接合溝内の隙間に弾性押圧部材、防水材及び目地材の順で下から積層させて接合する床パネルにおいて、水平片の上面に弾性体を保持する保持部を設けたことにより、上記課題を解決できることを見出し、本発明を完成させた。
【０００８】
【発明の実施の形態】
本発明の床パネルにおける保持部は、水平片の上面に載置された弾性体の位置を安定的に固定するためのものであり、係止片や床パネル自体が急激な環境温度の変化を受けて著しく伸縮しても、接合部の防水性を長期に維持するためのものである。
【０００９】
ここで保持部の形状にあっては、弾性体を安定的に係止できるものであれば、適宜選択して採用することができるが、水平片の遊端から上方へ延出した板状体や、水平片の一部をその長手方向へ切り欠いて設けられた溝状体などがある。
【００１０】
ここで、保持部として上方へ延出した板状体を採用した場合は、その高さがあまりに低いと弾性体を安定的に保持できなくなり、あまりに高いと床パネルを接合できなくなってしまうため、床パネルを接合した際にできる係止片と水平片の間隔の３０〜７０％の高さが良い。
【００１１】
このような保持部の材料としては、特に限定はされず従来使用されている材質で良く、耐候性、耐水性、耐久性等に優れた性質を持つものであればその素材を適宜選択して使用できる。具体的には、ＦＲＰ（繊維強化プラスチック樹脂）、ポリ塩化ビニル樹脂、ポリアクリルベンゼンスルホンサン樹脂等の合成樹脂や石綿セメント等の無機質硬化物などがあり、床面層と一体に成形したり、別体に成形したものを接着剤やボルト、ビスなどで床面層に取り付けてもよい。
【００１２】
本発明における板状本体は、床面層を支持してベランダやバルコニーへ安定的に固定すると共に床パネルとベランダやバルコニーの下地との間に断熱性を持たせるために採用したものである。
【００１３】
板状本体の厚みにあっては、あまりに薄いと床面層を安定的に固定できなくなると共に断熱効果が低くなり、あまりに厚くても床パネル自体が嵩高くなると共に製品重量が重くなり取付作業性が損なわれるため、３０〜１５０ｍｍのものが良い。
【００１４】
板状本体の素材としては、床面層に対し高い密着性を有する発泡性樹脂であれば適宜採択でき、ポリウレタン発泡樹脂、エポキシ発泡樹脂、フェノール発泡樹脂、ポリアクリル発泡樹脂等がある。
【００１５】
本発明の床パネルにおける床面層は、床パネルの床面となる部材として採用したものであり、人や物の重量を支える強度を有すると共にベランダやバルコニーに防水性を持たせるためのものである。
【００１６】
ここで、床面層の厚みにあっては、あまりに薄いと曲げ強度や衝撃強度が低下し、人や物の重量に耐えられなくなって破損してしまい、あまりに厚いと製品重量が重くなり取付作業性が損なわれてしまうため、１〜５ｍｍのものが良い。
【００１７】
床面層の材料としては、上記効果を有する繊維強化樹脂であれば適宜選択して採用することができ、例えば、不飽和ポリエステル樹脂、エポキシ樹脂、ビニルエステル樹脂、フェノール樹脂、シリコン樹脂、アリル樹脂、ポリイミド樹脂、フラン樹脂、ポリウレタン系樹脂等の合成樹脂と、ガラス繊維、炭素繊維、アラミド繊維、ボロン繊維等の強化繊維を複合したものがある。また、表面の耐候性向上のため、ゲルコート樹脂を積層しても良い。
【００１８】
本発明の床パネルの接合溝に配置される弾性体、弾性押圧部材、防水材及び目地材は、床パネル同士を、防水性を持たせつつ弾力的に接合するためのものであり、例えばシリコン系、ブチル系、クロロプレン系、ブタジエン系、ポリサルフアイド系等のゴムのように接着性と共に伸縮性のあるものや、予め一定の形状に成形されたゴムに接着剤又は接着テープを取り付けたもの、さらにはＥＰＤＭ（エチレン−プロピレンターポリマー）やポリエチレンやポリプロピレン等の合成樹脂やこれらの発泡体等を適宜選択して採用すればよい。
【００１９】
なお、本発明にかかる床パネルの接合溝及び係止片は、床パネルの相対向する位置のみに設定するだけでなく、任意の床パネル端縁に設置することにより、一方向に接続するだけでなく多方向に接続させることもできるのは勿論である。また、床パネル同士を接続した後、床パネルの床面上に保護シートを接合部ごと覆うように敷設することにより、さらに防水性を高めることができる。
【００２０】
本発明にあっては、板状本体と、板状本体の上面に積層された床面層と、床面層の少なくとも一方の端縁に設けられた断面略Ｕ字状の接合溝と、接合溝の遊端に床面層より低い位置で水平方向へ延出した水平片と、床面層の他方の端縁に設けられた断面略逆Ｌ字状の係止片を有する床パネル同士を、水平片と係止片の間に弾性体を介在させつつ床パネルの接合溝に、隣接する床パネルの係止片を挿入させ、さらに、接合溝内の隙間に弾性押圧部材、防水材及び目地材の順で下から積層させて接合する床パネルにおいて、水平片の上面に弾性体を保持する保持部を設けたことにより、係止片や床パネル自体が急激な環境温度の変化を受けて著しく伸縮しても、接合部の防水性を長期に維持させた床パネルの接合構造が提供できた。
【００２１】
【実施例】
以下、本発明の実施例１を図１及び図２に基づいて説明する。ここで、図１は実施例１の床パネルを接続した状態を示した要部断面図であり、図２は実施例１の床パネルにおける保持部を示した斜視図である。
【００２２】
本実施例の床パネルは、板状本体１と、板状本体１の上面に積層された床面層２と、床面層２の一方の端縁に設けられた断面略Ｕ字状の接合溝３と、接合溝３の遊端に床面層２より低い位置で水平方向へ延出した水平片４と、水平片４の遊端から上方へ延出した板状の保持部１０と、床面層２の接合溝３の相対向する端縁に設けられた断面略逆Ｌ字状の係止片４を有するものである。
【００２３】
本実施例の床パネル同士を接合するには、水平片４の上面に弾性体６を載置させ、一方の床パネルの接合溝３に、隣接する床パネルの係止片４を挿入させ、さらに、接合溝３内の隙間に弾性押圧部材５、防水材６及び目地材７の順で下から積層させて完了する。
【００２４】
ここで、本実施例の床パネルにおいて、板状本体１は発泡ポリウレタンであり、床面層２は硬質に形成されたＦＲＰ（繊維補強プラスチック）で形成されたものである。また、保持部１０は、床面層２と同一の素材で床面層２と一体に成形して得られたものである。なお、特に記載しない限り、以下の実施例は、本実施例と同様のものである。
【００２５】
本実施例にあっては、水平片４の遊端へ設けられた保持部１０により、水平片４に配置された弾性体６を安定して保持することができ、係止片５や床パネル自体が急激な環境温度の変化を受けて著しく伸縮しても、接合部の防水性を長期に維持させることができた。
【００２６】
本発明の実施例２を図３に基づいて説明する。ここで、図３は実施例２の床パネルにおける保持部を示した斜視図である。
【００２７】
本実施例の床パネルにおける保持部１０は、図３に示したように、実施例１の保持部１０を水平片の一部をその長手方向へ切り欠いて設けられた溝状のものに変更したものである。本実施例にあっても、水平片４の遊端へ設けられた保持部１０により、水平片４に配置された弾性体６（図示せず）を安定して保持することができ、係止片５や床パネル自体が急激な環境温度の変化を受けて著しく伸縮しても、接合部の防水性を長期に維持させることができた。
【００２８】
【発明の効果】
本発明にあっては、板状本体と、板状本体の上面に積層された床面層と、床面層の少なくとも一方の端縁に設けられた断面略Ｕ字状の接合溝と、接合溝の遊端に床面層より低い位置で水平方向へ延出した水平片と、床面層の他方の端縁に設けられた断面略逆Ｌ字状の係止片を有する床パネル同士を、水平片と係止片の間に弾性体を介在させつつ床パネルの接合溝に、隣接する床パネルの係止片を挿入させ、さらに、接合溝内の隙間に弾性押圧部材、防水材及び目地材の順で下から積層させて接合する床パネルにおいて、水平片の上面に弾性体を保持する保持部を設けたことにより、係止片や床パネル自体が急激な環境温度の変化を受けて著しく伸縮しても、接合部の防水性を長期に維持させた床パネルの接合構造が提供できた。
【図面の簡単な説明】
【図１】実施例１の床パネルを接続した状態を示した要部断面図である。
【図２】実施例１の床パネルにおける保持部を示した要部斜視図である。
【図３】実施例２の床パネルにおける保持部を示した要部斜視図である。
【符号の説明】
１　板状本体
２　床面層
３　接合溝
４　水平片
５　係止片
６　弾性体
７　弾性押圧部材
８　防水材
９　目地材
１０　保持部
【図１】
2004143698.tif 000003
【図２】
2004143698.tif 000004
【図３】
2004143698.tif 000005